(57)【特許請求の範囲】
【請求項１】
カメラボディ前面に沿ってスライド可能に支持され、スライド操作することにより少なくとも撮影レンズをカバー状態または非カバー状態とするスライドカバーを備えたカメラにおいて、
スライドカバーは、カメラボディ前面に沿ってスライド可能に案内されたメインスライドカバーと；このメインスライドカバーとカメラボディ前面の間に配置され、該メインスライドカバーの開方向への移動に連動して該メインスライドカバーに対して同開方向に移動して該メインスライドカバーとの重畳量を増し、かつ該メインスライドカバーの閉方向への移動に連動して該メインスライドカバーに対して同閉方向に移動して該メインスライドカバーとの重畳量を減ずる１つ以上のサブスライドカバーと；を有し、
カメラは、上記メインスライドカバーの移動に連動して該メインスライドカバーに対して上記サブスライドカバーを同方向に移動させる駆動手段を有し、
この駆動手段は、略中央部が上記メインスライドカバーに軸着され、一端部が上記サブスライドカバーと係合し、かつ他端部がメインスライドカバーの移動に連動してカメラ前面に設けた駆動部に係合して駆動される駆動レバーを有していることを特徴とする、スライドカバーを備えたカメラ。
【請求項２】
請求項１に記載のスライドカバーを備えたカメラおいて、撮影レンズは、メインスライドカバーの開方向への移動に連動してカメラボディ本体から繰り出されて撮影可能位置に位置され、メインスライドカバーの閉方向への移動に連動してカメラボディ内に退避して収納位置に位置される可動鏡筒を有している、スライドカバーを備えたカメラ。
【請求項３】
請求項１に記載のスライドカバーを備えたカメラおいて、駆動部は、メインスライドカバーの移動方向に互いに所定間隔離してカメラボディ前面上に突設した一対の駆動リブである、スライドカバーを備えたカメラ。
【請求項４】
請求項１ないし３のいずれか一項記載のスライドカバーを備えたカメラにおいて、サブスライドカバーは、メインスライドカバーを完全に閉じてスライドカバーをカバー状態としたとき、メインスライドカバーの閉方向の端部から同方向に向かって延出してカメラ前方に露出するサブカバー端部を有している、スライドカバーを備えたカメラ。
【請求項５】
請求項１ないし４のいずれか一項記載のスライドカバーを備えたカメラにおいて、さらに、スライドカバーを非カバー状態としたとき、カメラボディ前面に対するサブスライドカバーの位置を定める位置決め手段を有する、スライドカバーを備えたカメラ。
【請求項６】
請求項５記載のスライドカバーを備えたカメラにおいて、位置決め手段は、サブスライドカバーの一部に係合する、カメラボディ前面上に突設した係止突起である、スライドカバーを備えたカメラ。
【発明の詳細な説明】
【０００１】
【発明の属する技術分野】
本発明は、カメラボディ前面に沿ってスライド可能に設けられたスライドカバーを有するカメラに関する。
【０００２】
【従来技術およびその問題点】
従来、カメラボディ前面に沿って左右方向にスライド可能に設けられ、手動でスライドさせることにより撮影レンズをカバー状態（非撮影状態）または非カバー状態（撮影可能状態）とする単一のスライドカバーを備えたカメラが知られている。このようなカメラでは、通常、スライドカバーを閉じる（カバー状態とする）と、撮影レンズのみならず、カメラボディ前面に設けたファインダ対物窓、ＡＦ測距窓、ＡＥ測光窓等もスライドカバーによって保護される。このため、当然ながら撮影時には、撮影レンズに加え、ファインダ対物窓、ＡＦ測距窓、ＡＥ測光窓等全てをカメラ前方に露出させるように、スライドカバーを完全に開状態にする必要がある。
【０００３】
カメラを小型化するにはスライドカバーも小さく設計する必要があり、特に、カメラを左右方向で小型にするには、スライドカバーのスライド量を小さく設定する必要がある。しかしながら、スライドカバーが小さ過ぎると、スライドカバーを閉じたとき、撮影レンズ、ファインダ対物窓、ＡＦ測距窓、ＡＥ測光窓等全てをスライドカバーによって完全にカバーできず、また、スライドカバーのスライド量がある程度以上確保されなければ、スライドカバーを開けたとき、撮影レンズ、ファインダ対物窓、ＡＦ測距窓、ＡＥ測光窓等全てを完全にカメラ前方に露出させることができないという問題が生じる。このため、従来のスライドカバーを備えたカメラでは、スライドカバーの大きさ及びスライド量の制約のためにカメラの小型化に限界があった。
【０００４】
【発明の目的】
本発明は、以上の問題点に鑑みて成されたもので、カメラをある程度以上に小型化した場合でも、スライドカバーを閉じたときには、撮影レンズのみならず、カメラボディ前面に設けたファインダ対物窓、ＡＦ測距窓、ＡＥ測光窓等もスライドカバーによって全て保護することができ、かつスライドカバーを開けたときにはこれらをカメラ前方に完全に露出することができる、スライドカバーを備えたカメラを提供することを目的とする。
【０００５】
【発明の概要】
本発明は、カメラボディ前面に沿ってスライド可能に支持され、スライド操作することにより少なくとも撮影レンズをカバー状態または非カバー状態とするスライドカバーを備えたカメラにおいて、スライドカバーは、カメラボディ前面に沿ってスライド可能に案内されたメインスライドカバーと；このメインスライドカバーとカメラボディ前面の間に配置され、該メインスライドカバーの開方向への移動に連動して該メインスライドカバーに対して同開方向に移動して該メインスライドカバーとの重畳量を増し、かつ該メインスライドカバーの閉方向への移動に連動して該メインスライドカバーに対して同閉方向に移動して該メインスライドカバーとの重畳量を減ずる１つ以上のサブスライドカバーと；を有し、カメラは、上記メインスライドカバーの移動に連動して該メインスライドカバーに対して上記サブスライドカバーを同方向に移動させる駆動手段を有し、この駆動手段は、略中央部が上記メインスライドカバーに軸着され、一端部が上記サブスライドカバーと係合し、かつ他端部がメインスライドカバーの移動に連動してカメラ前面に設けた駆動部に係合して駆動される駆動レバーを有していることを特徴としている。
【０００７】
【発明の実施の形態】
以下図示実施形態に基づいて本発明を説明する。図１及び図２は、本発明を適用したカメラの一実施形態を示している。このカメラ１０は、レンズシャッタ式のＡＦ／ＡＥズームコンパクトカメラであり、カメラ１０の前面に沿って左右方向にスライド可能に設けられたメインスライドカバー４０を有している。図１はこのメインスライドカバー４０を閉じた状態（非撮影状態）を示し、図２は同メインスライドカバー４０を開けた状態（撮影可能状態）を示している。
【０００８】
カメラ１０のボディの前壁１１は、その面上に沿ってメインスライドカバー４０がスライド移動する第１前面１２と、この第１前面１２よりも所定量前方に位置する第２前面１３とを有している。第１前面１２の第２前面１３寄りには、撮影レンズ進退開口１４が形成されている。カメラ１０には、互いに同心に設けられた第１可動鏡筒１６、第２可動鏡筒１７及び第３可動鏡筒１８からなる３段繰り出し式のズームレンズ（可変焦点距離レンズ）鏡筒を有する撮影レンズ１５が設けられており、これら可動鏡筒１６、１７、１８が撮影レンズ進退開口１４から繰り出される。図３に示すカメラ１０の撮影レンズ１５は収納状態にある。この収納状態において、第１可動鏡筒１６、第２可動鏡筒１７及び第３可動鏡筒１８の各前端面は、第１前面１２と略同一平面上に位置される。撮影レンズ１５は、メインスライドカバー４０を図２に示す開状態とすると、撮影レンズ１５内部の撮影光学系を撮影可能な広角端（ｗｉｄｅ端）に位置させるべく若干前方に繰り出され、その後、カメラ１０の背面上部に備わったズーム操作スイッチ（図示せず）の操作に応じて伸縮し、焦点距離を広角端から望遠端（ｔｅｌｅ端）の間で変化させる。
【０００９】
撮影レンズ１５上方の第１前面１２には、前面左側から右側にかけて順にファインダ対物窓２０、ＡＥ測光窓２１、セルフタイマーが動作中であることを示すセルフタイマーランプ２２、ＡＦ測距窓２３を含む横長矩形のカメラ窓部１９が設けられている。また、第２前面１３の上部には、ストロボ窓２５が設けられている。
【００１０】
カメラ１０には、第１前壁１２の上端と下端の夫々に沿った、左右方向に互いに平行に延びるガイド溝３０が形成されている。これら上下のガイド溝３０には、メインスライドカバー４０の内側の上下に形成されたガイドレール３２が夫々摺動可能に嵌められている。つまり、メインスライドカバー４０は、上下のガイド溝３０及び上下のガイドレール３２を介して左右方向にスライド可能に案内されいてる。このメインスライドカバー４０の内側には、このメインスライドカバー４０のスライド移動に連動し、メインスライドカバー４０に対してスライド移動するサブスライドカバー５０が設けられている。カメラ１０のスライドカバーは、カメラ１０の前後方向で互いに重ねたこれらメインスライドカバー４０とサブスライドカバー５０により構成されている。このように、２以上のスライドカバーエレメント即ちメインスライドカバー４０とサブスライドカバー５０からカメラ１０のスライドカバーを構成した部分が本発明の主たる特徴部分である。
【００１１】
メインスライドカバー４０の第２前面１３側の端部４７には、該端部４７の上下端夫々に形成された当接端面４７ａと、これら当接端面４７ａよりもカメラ１０前面左方に所定幅Ｗ引っ込めた非当接端面４７ｂとが形成されている。他方カメラ１０前面には、カメラ１０の前後方向に延びかつ第１前面１２と第２前面１３とを接続する当接面１２ｆが形成されている。
【００１２】
メインスライドカバー４０を閉じたとき、上下の当接端面４７ａは当接面１２ｆに当接し、非当接端面４７ｂは、当接面１２ｆとは当接せずに当接面１２ｆから上記所定幅Ｗ離間する。よって、メインスライドカバー４０を閉じた状態では、非当接端面４７ｂと当接面１２ｆの間に一定の隙間ができる。非当接端面４７ｂは、メインスライドカバー４０を図２に示す開状態としたときに、メインスライドカバー４０の端部４７によって撮影レンズ１５前面とカメラ窓部１９の夫々の一部分が覆われることなくカメラ１０前方に完全に露出させるように形成されている。
【００１３】
メインスライドカバー４０を閉じた状態において非当接端面４７ｂと当接面１２ｆの間に形成される一定の隙間は、サブスライドカバー５０の当接面１２ｆに対向する側の一部であるサブカバー端部５８により覆われる。つまり、メインスライドカバー４０のみでは、メインスライドカバー４０を閉じた状態において非当接端面４７ｂと当接面１２ｆの間に一定の隙間が形成され、この隙間に臨む撮影レンズ１５の一部及びカメラ窓部１９の一部はカメラ１０前方に露出してしまうが、この非当接端面４７ｂと当接面１２ｆの間の一定の隙間は、サブスライドカバー５０のサブカバー端部５８によって覆われ、よって上記一定の隙間に臨む撮影レンズ１５前面の一部及びカメラ窓部１９の一部はカメラ１０前方に露出することなく完全にカバーされる。
【００１４】
図４は、メインスライドカバー４０、及び、該メインスライドカバー４０の内側に備わるサブスライドカバー５０とその周辺部材を示す分解斜視図である。図５は、メインスライドカバー４０を内側から視た図である。メインスライドカバー４０は縦断面形状が略コ字状に形成され、上下端夫々の内側部分に左右方向に延びるガイドレール３２が形成されている。メインスライドカバー４０の内側には、図４及び図５に示すような所定の形状に形成されたサブスライドカバー５０が、メインスライドカバー４０に対して左右方向にスライド可能に支持されている。サブスライドカバー５０には、左右方向に延びる複数のガイド長孔５１、５２、５３、５４が形成されており、これら複数のガイド長孔５１、５２、５３、５４の夫々には、メインスライドカバー４０の内面上に植設された対応のガイドピン４２ａ、４２ｂ、４２ｃ、４２ｄが挿通されている。つまりサブスライドカバー５０は、ガイド溝５１、５２、５３、５４及びガイドピン４２ａ、４２ｂ、４２ｃ、４２ｄを介してメインスライドカバー４０に対して左右方向にスライド可能に案内されている。
【００１５】
メインスライドカバー４０には、サブスライドカバー５０に隣接させて受け板６０が固定されている。このサブスライドカバー５０は、メインスライドカバー４０との間にサブスライドカバー５０を位置させた状態で、複数の固定ネジ（図示せず）を介してメインスライドカバー４０に固定されている。これら複数の固定ネジの夫々は、受け板６０に穿設された対応のネジ挿通孔６１ａ，６１ｂ、６１ｃ、６１ｄを通ってメインスライドカバー４０の内面上に形成された対応のネジ螺合部４３ａ、４３ｂ、４３ｃ、４３ｄに螺合されている。この受け板６０によって、サブスライドカバー５０はメインスライドカバー４０から外れない。
【００１６】
メインスライドカバー４０とサブスライドカバー５０の間には、所定形状に形成された駆動レバー７０が設けられている。この駆動レバー７０の略中央部は、メインスライドカバー４０の内面上に植設された軸４４に回動自在に嵌められている。駆動レバー７０の下端部にはカメラ１０後方に向かって延びる係合突起７１が形成されており、駆動レバー７０の上端部には、カメラ１０前方に向かって延びる第１突起７２と、サブスライドカバー５０に形成された係合孔５５を通ってカメラ１０後方に向かって延びる第２突起７３が形成されている。係合突起７１は、第１前面１２の下部に左右方向で互いに所定距離離間させて形成した第１駆動リブ（駆動部）１２ａと第２駆動リブ（駆動部）１２ｂの夫々に係合可能とされている。
【００１７】
軸４４を中心に駆動レバー７０が回動する際、第１突起７２はメインスライドカバー４０の内面上に形成された湾曲ガイド溝４５によって案内され、第２突起７３は係合孔５５を介して受け板６０に形成された湾曲ガイド溝６３によって案内される。この構造により、駆動レバー７０が回動すると、係合孔５５の内面を第２突起７３が押すことによってサブスライドカバー５０が左右方向にスライド移動する。
【００１８】
第１突起７２と、メインスライドカバー４０の内面上に植設されたガイドピン４２ａとには、メインスライドカバー４０とサブスライドカバー５０の間に設けたトーションバネ７５の一端部と他端部とが夫々係合している。受け板６０とカメラ１０の第１前面１２の間には、く字形状のクリックバネ６５が設けられている。このクリックバネ６５は、カメラ１０前方に向けて凸形状に屈曲されており、略中央部に形成された突起部６５ａを受け板６０上に当接させている。第１前面１２にはクリックバネ６５を受ける凹部座面１２ｃが形成されており、この凹部座面１２ｃの上端部には小突起１２ｄが形成されている。クリックバネ６５の上下両端部は、上端部に設けられた孔６５ｂをこの小突起１２ｄに係合させた状態で凹部座面１２ｃ上に当接されている。よって受け板６０には、クリックバネ６５によるフリクションが常時与えられている。このため、メインスライドカバー４０をスライド操作する際には、常時このフリクションに抗してスライド操作することになる。
【００１９】
またメインスライドカバー４０の内面上の所定位置には、カメラ１０後方に向かって突出する操作ボス４６が植設されている。この操作ボス４６は、カメラ１０の第１前面１２から前方に突出するメインスイッチピン６７と係合可能に設けられている。メインスイッチピン６７は、カメラ１０の左右方向で所定範囲内で移動可能に案内されており、付勢手段（図示せず）によってカメラ１０の前面右方向に常時付勢されている。この付勢手段に抗してメインスイッチピン６７が左端（カメラ１０前方から視た左端）に移動されるとカメラ１０の電源がオンされ、またこの左端から若干量（約１ｍｍ）右側に移動するとオフされる。メインスイッチピン６７の上方には、このメインスイッチピン６７に隣接する位置に、第１前面１２からカメラ１０前方に突出する係止突起１２ｅが植設されている。この係止突起１２ｅは、サブスライドカバー５０がスライド移動して所定位置に達したとき、サブスライドカバー５０に形成された係合突起５６と係合する位置に形成されている。
【００２０】
以上の構成を有するカメラ１０は以下のように動作する。先ず、メインスライドカバー４０が完全に閉じられた図１に示す状態では、駆動レバー７０は、駆動レバー７０の係合突起７１が第１駆動リブ１２ａに当接した状態で図５の一点鎖線で示す位置に位置されている。この状態においてサブスライドカバー５０は、メインスライドカバー４０の端部４７側に位置するサブカバー端部５８を当接面１２ｆに当接させて、非当接端面４７ｂと当接面１２ｆの間の隙間部分をカバーした状態となっている。この閉状態では、メインスライドカバー４０とサブスライドカバー５０の重畳量（互いに重なり合った部分の量）は最小である。またこの状態において、トーションバネ７５は図５の一点鎖線で示す位置にあり、駆動レバー７０は、この状態にあるトーションバネ７５によって図５の反時計回り方向に付勢されている。これによってサブスライドカバー５０のサブカバー端部５８は、トーションバネ７５の付勢力によって当接面１２ｆに対して弾接している。
【００２１】
この図１に示す状態から手動にてメインスライドカバー４０をスライドさせて開放すると、先ず、駆動レバー７０の係合突起７１は第１駆動リブ１２ａから離間し、続いてメインスライドカバー４０が完全に開状態となる若干手前の位置で係合突起７１が第２駆動リブ１２ｂと当接し、更なるメインスライドカバー４０の開方向（図１、図２の左方向）への移動によって駆動レバー７０が図５の時計回り方向に回転する。すると、トーションバネ７５は思案点を越えて図５の一点鎖線で示す位置から同図の破線で示す位置に移動する。トーションバネ７５は、この図５の一点鎖線で示す位置では自由状態となっている。以上の駆動レバー７０の時計回り方向への回転によって、サブスライドカバー５０は、第２突起７３と係合孔５５を介してメインスライドカバー４０内に退避する方向、即ち図２の左方（図５では右方）に所定量移動する。
【００２２】
引き続きメインスライドカバー４０を完全に開状態とするべくメインスライドカバー４０を更に開方向へ移動させると、第２駆動リブ１２ｂによって係合突起７１が図５の左方に更に移動され、これによって駆動レバー７０が図５の時計回り方向に更に回転し、この回転によってサブスライドカバー５０は更にメインスライドカバー４０内に退避して最も退避した位置とされる（図２）。この開状態では、メインスライドカバー４０とサブスライドカバー５０の重畳量は最大である。この開状態において、駆動レバー７０とトーションバネ７５の夫々は、図５に二点鎖線で示す位置に位置される。また、このメインスライドカバー４０の最も退避した位置への移動により、メインスライドカバー４０内面の操作ボス４６がメインスイッチピン６７に当接してメインスイッチピン６７をカメラ１０前方から視た左端に移動し、これによってカメラ１０の電源がオンとなる。このメインスライドカバー４０の開状態において、サブスライドカバー５０の係合突起５６は第１前面１２上の係止突起１２ｅに当接し、サブスライドカバー５０のメインスライドカバー４０内に向かう方向への更なる移動を阻止している。つまり、メインスライドカバー４０の開状態において、係止突起１２ｅによってサブスライドカバー５０のメインスライドカバー４０内への移動位置が定まっている。また、このメインスライドカバー４０の開状態において、メインスライドカバー４０は、クリックバネ６５によるフリクションによって、外力を加えない限り図２に示す開放状態に安定して保持される。また、カメラ１０の電源オンを同時に、上述したように撮影レンズ１５が若干前方に繰り出されて撮影可能状態となる。
【００２３】
次に、図２に示すメインスライドカバー４０の開状態から手動にてメインスライドカバー４０をスライドさせて閉じると、先ず、メインスライドカバー４０を閉方向（図１、図２の右方向）に若干量（約１ｍｍ）移動させると、メインスイッチピン６７から操作ボス４６が離れてカメラ１０の電源がオフされ、この電源オフにより撮影レンズ１５が収納されて図３に示す収納状態となる。また、係合突起７１が第２駆動リブ１２ｂから離れ、これによってトーションバネ７５の付勢力により駆動レバー７０が図５の反時計回り方向に回転し、よってサブスライドカバー５０が閉方向に若干移動する。
【００２４】
引き続きメインスライドカバー４０を完全に閉状態とするべくメインスライドカバー４０を更に閉方向へ移動させると、メインスライドカバー４０が完全に閉状態となる若干手前で係合突起７１が第１駆動リブ１２ａと当接し、更にメインスライドカバー４０を閉方向へ移動させて完全に閉状態とすると、駆動レバー７０が図５の反時計回り方向に更に回転し、これによってサブスライドカバー５０は更に閉方向に移動して当接面１２ｆと当接する。同時に、サブスライドカバー５０は、思案点を越えて図５の破線で示す位置から同図の一点鎖線で示す位置に移動し、サブスライドカバー５０のサブカバー端部５８を当接面１２ｆに対して弾接させる。以上によって、メインスライドカバー４０とサブスライドカバー５０により、撮影レンズ１５の前面及びカメラ窓部１９の全体がカバーされる。
【００２５】
本実施形態のカメラ１０では、該カメラを小型設計した都合上、スライドカバーの左右方向での大きさと移動量を共に大きく設定することができない。しかしながら、本発明を適用したカメラ１０によれば、スライドカバーを２以上のスライドカバーエレメント即ちメインスライドカバー４０とサブスライドカバー５０により構成したので、カメラの小型化に伴ってスライドカバーの大きさ及びスライド量（移動量）が小さいにも拘わらず、スライドカバーを閉じたときには撮影レンズ１５及びカメラ窓部１９が全てカバーされ、スライドカバーを開けたときにはこれら撮影レンズ１５及びカメラ窓部１９がカメラ前方に完全に露出される。
【００２６】
上記実施形態のカメラ１０では、３段繰り出し式のズームレンズ鏡筒を有する撮影レンズ１５を備える構成としているが、本発明はこの構成に限定されず、１段繰り出し、２段繰り出し、または４段繰り出し以上のズームレンズでもよく、また、繰り出し鏡筒を有しない単焦点の撮影レンズでもよい。
【００２７】
また上記実施形態のカメラ１０では、スライドカバーをメインスライドカバー４０とサブスライドカバー５０の２枚のスライドカバーエレメントから構成しているが、本発明はこの構成に限定されず、例えばメインスライドカバー４０の内側に２枚以上のサブスライドカバーを設ける等、３枚以上のスライドカバーエレメントからスライドカバーを構成してもよい。
【００２８】
また上記実施形態のカメラ１０では、駆動レバー７０を回動させる手段（駆動部）として、第１前面１２に形成した第１駆動リブ１２ａと第２駆動リブ１２ｂを設ける構成としたが、本発明はこの構成に限定されず、第１前面１２に形成した他形状の部材でもよい。
【００２９】
また上記実施形態のカメラ１０では、カメラ窓部１９内にファインダ対物窓２０、ＡＥ測光窓２１、セルフタイマーランプ２２、ＡＦ測距窓２３を設ける構成としたが、本発明はこの構成に限定されず、他の受光素子、測光素子、投光素子等のための窓が設けられていてもよい。
【００３０】
【発明の効果】
以上のように、本発明のスライドカバーを備えたカメラによれば、スライドカバーを、カメラボディ前面に沿ってスライド可能に設けられた２以上のスライドカバーエレメントから構成したので、カメラをある程度以上に小型化した場合でも、スライドカバーを閉じたときには、撮影レンズのみならず、カメラボディ前面に設けたファインダ対物窓、ＡＦ測距窓、ＡＥ測光窓等もスライドカバーによって全て保護することができ、スライドカバーを開けたときには、これらをカメラ前方に完全に露出することができる。
【図面の簡単な説明】
【図１】本発明を適用したカメラをスライドカバーを閉じた状態で示す正面図である。
【図２】図１のカメラをスライドカバーを開けた状態で示す正面図である。
【図３】図１のカメラをスライドカバーを取り外した状態で示す分解斜視図である。
【図４】スライドカバーの分解斜視図である。
【図５】スライドカバーを内側から視た平面図である。
【図６】スライドカバーを下方から視た図である。
【符号の説明】
１０  カメラ
１１  前壁
１２  第１前面
１３  第２前面
１４  撮影レンズ進退開口
１５  撮影レンズ
１６  第１可動鏡筒
１７  第２可動鏡筒
１８  第３可動鏡筒
１９  カメラ窓部
２０  ファインダ対物窓
２１  ＡＥ測光窓
２２  セルフタイマーランプ
２３  ＡＦ測距窓
２５  ストロボ窓
３０  ガイド溝
４０  メインスライドカバー
５０  サブスライドカバー
６０  受け板
７０  駆動レバー
【図１】
0003548311.tif 000002
【図２】
0003548311.tif 000003
【図３】
0003548311.tif 000004
【図４】
0003548311.tif 000005
【図５】
0003548311.tif 000006
【図６】
0003548311.tif 000007